(57)【要約】【課題】性能向上のため、熱交換器の全長を延長した空気調和機の室内機において、ファンモーターの取り外しができないという課題があった。【解決手段】室内機１に、熱交換器３を有し、熱交換器３を保持して送風通路を構成する台枠２と、熱交換器３と台枠２とで構成された空間にファン５を配設し、ファン５を回転駆動させるファンモーター４を備え、台枠２のコーナー部は着脱自在なコーナー部材６で構成された空気調和機において、コーナー部材６と台枠２との接合部をファンモーター４の上端よりも上部の位置に設けるとともに、コーナー部材６の側壁内面に、台枠２と係合する係合部１０を設けたことで、ファンモーター４の着脱を容易にした。【選択図】図１
2013068351.tif 000002
【特許請求の範囲】
【請求項１】
室内機に、熱交換器を有し、前記熱交換器を保持して送風通路を構成する台枠と、前記熱交換器と前記台枠とで構成された空間にファンを配設し、前記ファンを回転駆動させるファンモーターを備え、前記台枠のコーナー部は着脱自在なコーナー部材で構成された空気調和機において、前記コーナー部材と前記台枠との接合部を前記ファンモーターの上端よりも上部の位置に設けるとともに、前記コーナー部材の側壁内面に、前記台枠と係合する係合部を設けたことを特徴とする空気調和機。
【請求項２】
室内機に、熱交換器を有し、前記熱交換器を保持して送風通路を構成する台枠と、前記熱交換器と前記台枠とで構成された空間にファンを配設し、前記ファンを回転駆動させるファンモーターを備え、前記台枠のコーナー部は着脱自在なコーナー部材で構成された空気調和機において、前記コーナー部材と前記台枠との接合部を前記ファンモーターの上端よりも上部の位置に設けるとともに、前記コーナー部材の側壁内面に、複数のリブを設けて側壁を補強したことを特徴とする空気調和機。
【請求項３】
前記コーナー部材の縦側壁の上部に配設したツメの先端部に、テーパー形状もしくはＲ形状を設けたことを特徴とする請求項１あるいは２に記載の空気調和機。
【発明の詳細な説明】
【技術分野】
【０００１】
本発明は、空気調和機の室内機におけるファンモーターの着脱構造、および、台枠の
コーナー部材の構成に関するものである。
【背景技術】
【０００２】
従来の空気調和機の室内機は、図７（ａ）に示すように、台枠２の左右のコーナー部には着脱自在なコーナー部材６が設けられ、室内機の取付け、取外し工事やサービス工事の時の作業の容易化を図っている。また、サービス工事などでファンモーター４を取り外すときには、図７（ｂ）に示したように、電源板８を取り外し、この電源板８の収納スペースを利用してファンモーター４を取り外すことができる。
【０００３】
また、台枠コーナー部が上下２部品から成る着脱自在なコーナーカバーで構成した室内機も提案されている（例えば、特許文献１参照）。
【先行技術文献】
【特許文献】
【０００４】
【特許文献１】特開２００２−７１１６２号公報
【発明の概要】
【発明が解決しようとする課題】
【０００５】
しかしながら、上記従来例のような構成で、熱交換の効率を向上させるために、熱交換器３の全長を延長し、ファンモーター４を室内機の最端に配置した図１のような構成においては、サービス工事などでファンモーター４を取り外す場合に、台枠２の側壁に干渉してしまい、取り外しができないという課題を有していた。そこで、特許文献１に記載されているように、コーナー部が上下２部品からなるコーナーカバーで構成して対応したものがあるが、室内機の配送・運搬時に当ったり、落下したりしたときにコーナーカバーが外れ易いという課題があった。本発明は、上記のような課題を解決するためになされたものであり、簡素な構成で、空気調和機の熱交換器の全長拡大による性能向上とサービス性の向上を図るとともに、配送・運搬時の課題も解決することを目的とするものである。
【課題を解決するための手段】
【０００６】
上記課題を解決するため、本発明は、室内機に、熱交換器を有し、熱交換器を保持して送風通路を構成する台枠と、熱交換器と台枠とで構成された空間にファンを配設し、このファンを回転駆動させるファンモーターを備え、台枠のコーナー部は着脱自在なコーナー部材で構成された空気調和機において、コーナー部材と台枠との接合部をファンモーターの上端よりも上部の位置に設けるとともに、コーナー部材の側壁内面に、台枠と係合する係合部を設けたものである。
【０００７】
また、前記コーナー部材の側壁内面に設けた係合部の代わりに、複数のリブを配設してコーナー部材側壁を補強する構成にしたものである。
【０００８】
さらに、前記コーナー部材の縦側壁の上部に配設したツメの先端部に、テーパー形状もしくはＲ形状を設けたものである。
【発明の効果】
【０００９】
本発明によれば、コーナー部材と台枠との接合部をファンモーターの上端よりも上部の位置に設けているため、サービス工事の時などにファンモーターの取外し、取付けが容易
に行える。また、従来の室内機に比べ、台枠との接合部を上部に変更したためコーナー部材の縦側壁部の長さが伸びて、側壁が湾曲し易くなるが、コーナー部材の側壁内面に係合部を設けて台枠と係合する構成にしたことにより、側壁の湾曲が押さえられるため、コーナー部材が台枠から外れ難くなる。
【００１０】
また、前記コーナー部材の側壁内面に設けた係合部の代わりに、複数のリブを設けて側壁を補強することで、同様に、側壁の湾曲が押さえられるため、コーナー部材が台枠から外れ難くなる。
【００１１】
また、前記コーナー部材の縦側壁の上部に配設したツメの先端部に、テーパー形状もしくはＲ形状を設けたことにより、サービス工事の時などに、コーナー部材を下の方向から台枠へ装着するときに、テーパー形状部もしくはＲ形状部が台枠への誘いとなるため、装着が容易となるものである。
【図面の簡単な説明】
【００１２】
【図１】本発明に係る空気調和機の室内機の構成を示した斜視図
【図２】本発明に係る空気調和機のコーナー部材の斜視図
【図３】本発明に係る空気調和機の台枠とコーナー部材の係合部を示した図
【図４】本発明に係る空気調和機の他の実施例を示したコーナー部材の斜視図
【図５】本発明に係る空気調和機の台枠とコーナー部材の接合部を示した図
【図６】本発明に係る空気調和機のコーナー部材の装着状態を示した図
【図７】従来例の構成を示した空気調和機の室内機の斜視図
【発明を実施するための形態】
【００１３】
第１の発明は、室内機に、熱交換器を有し、前記熱交換器を保持して送風通路を構成する台枠と、前記熱交換器と前記台枠とで構成された空間にファンを配設し、前記ファンを回転駆動させるファンモーターを備え、前記台枠のコーナー部は着脱自在なコーナー部材で構成された空気調和機において、前記コーナー部材と前記台枠との接合部を前記ファンモーターの上端よりも上部の位置に設けるとともに、前記コーナー部材の側壁内面に、前記台枠と係合する係合部を設けたことにより、ファンモーターの着脱を容易に行うことができる。
【００１４】
第２の発明は、室内機に、熱交換器を有し、前記熱交換器を保持して送風通路を構成する台枠と、前記熱交換器と前記台枠とで構成された空間にファンを配設し、前記ファンを回転駆動させるファンモーターを備え、前記台枠のコーナー部は着脱自在なコーナー部材で構成された空気調和機において、前記コーナー部材と前記台枠との接合部を前記ファンモーターの上端よりも上部の位置に設けるとともに、前記コーナー部材の側壁内面に、複数のリブを設けて側壁を補強したものである。
【００１５】
第３の発明は、請求項１あるいは２の発明に、前記コーナー部材の縦側壁の上部に配設したツメの先端部に、テーパー形状もしくはＲ形状を設けたものであり、さらに装着性を高めることができる。
【００１６】
以下、本発明の実施の形態について、図面を参照しながら説明する。
【００１７】
（実施の形態１）
一般家庭で使用される空気調和機は、通常冷媒配管で互いに接続された室外機と室内機とで構成されており、図１は本発明に係る空気調和機の室内機を示している。
【００１８】
図１（ａ）にように、室内機１は、内部に熱交換器３を有し、この熱交換器３を保持す
るとともに、送風通路を構成する台枠２と、熱交換器３と台枠２とで構成された空間内にファン５とが設けられている。また、ファン５を回転駆動させるためのファンモーター４と、ファンモーター４や様々な電装品（図示せず）を制御するための電源板を備えている。
【００１９】
また、台枠２の左右下部コーナーには、室内機１の取付け、取外し工事やサービス工事の時に作業性を容易にする目的で、着脱自在なコーナー部材６が備えられている。特に、ファンモーター４が収納されている方に設けたコーナー部材６（本実施例では右側）においては、台枠２の側壁との接合部を、ファンモーター４の上端よりも上部に設けている。尚、コーナー部材６は、側壁および底面の先端部に設けたツメ６ａを、台枠２の側壁および底面に引っ掛けて固定している。
【００２０】
ここで、従来の室内機について説明する。図７（ｂ）に示したように、従来の室内機においては、例えば、サービス工事の時などファンモーター４を取り外す場合、まず、電源板８を取り外して、この電源板の収納スペースを利用して取り外すことができたため、ファンモーター設置側のコーナー部材６においては、台枠２との接合部がファンモーターの上部よりも下でも差し支えなかった。
【００２１】
しかしながら、熱交換効率を向上させるため、熱交換器３の全長を室内機１へ収納可能なまで延長した場合、ファンモーター４は台枠の側壁に近接する位置に配設されることになるが、コーナー部材６を本実施の形態のように構成することにより、図１（ｂ）に示したように、ファンモーター４の取り外しが必要な場合は、コーナー部材６を取り外した後で行えば、着脱を容易に行うことが可能となる。
【００２２】
また、図２に示したように、コーナー部材６の側壁内部には凹形状をした係合部１０を設けている。一方、図３に示すように、台枠２には、コーナー部材６を装着したときに、係合部１０の凹部に係合するように、凸形状が設けてある。
【００２３】
このように、係合部１０を設けることで、室内機１を配送・運搬する時に、コーナー部材６に外力が加わり、コーナー部材６の側壁が湾曲することにより台枠２から外れることを防止している。
【００２４】
また、図４に示したように、コーナー部材６に係合部１０を設ける代わりに、側壁内部に複数のリブを配設して側壁を補強する構造にすることで、外力による側壁の湾曲が防止でき、上記と同様の効果を得ることができる。尚、リブによる補強の代わりに、側壁を２重構造にして補強しても構わない。
【００２５】
図５は、台枠２とコーナー部材６との接合部を示した図であるが、台枠２に引っ掛けて固定するコーナー部材６に設けたツメ６ａの先端を、図示したようにテーパー形状にしたものである。このような構造にすることにより、例えば、図６に示したように、室内機１が壁９に近接した位置に設置された状態で、コーナー部材６を台枠２に装着する場合、コーナー部材６を下の方向から持ち上げて台枠２に取り付けなければならなくなるが、前記テーパー形状部が台枠２への誘いとなるため、装着が容易となるものである。尚、ツメ６ａの先端をＲ形状にしても同様の効果が得られる。
【００２６】
以上、上述したように、本実施の形態においては、簡素な構成で、空気調和機の熱交換器の全長拡大による性能向上とサービス性の向上を図るとともに、配送・運搬時の課題も解決することが可能となるものである。
【産業上の利用可能性】
【００２７】
本発明に係る空気調和機は、簡素な構成で、空気調和機の熱交換器の全長拡大による性能向上とサービス性の向上を図ることができるため、一般家庭で使用される空気調和機をはじめ、様々な空気調和機へ応用展開が図れる。
【符号の説明】
【００２８】
１  室内機
２  台枠
３  熱交換器
４  ファンモーター
５  ファン、
６  コーナー部材
６ａ  ツメ
８  電源板
９  壁
１０  係合部
１１  リブ
【図１】
2013068351.tif 000003
【図２】
2013068351.tif 000004
【図３】
2013068351.tif 000005
【図４】
2013068351.tif 000006
【図５】
2013068351.tif 000007
【図６】
2013068351.tif 000008
【図７】
2013068351.tif 000009